(57)【要約】【課題】固定出力の電流源により発光ユニットを駆動させることにより、駆動回路の使用寿命を延ばす照明駆動装置の提供。【解決手段】照明駆動装置１０は、外部の電圧源１と電気的に接続される２つの電気接続端子を有する入力ユニット１２と、入力ユニット１２に接続され、外部の電圧源１を受け取り、整流信号ＲＳを発生させる整流ユニット１４と、整流ユニット１４と電気的に接続され、整流信号ＲＳに基づき、対応した定電流源ＤＣを発生させる定電流発生ユニット１６と、定電流源ＤＣを受け取って出力し、複数の発光ユニット２を駆動させる出力ユニット１８とを備える。【選択図】図１
0003164492.tif 000002
【実用新案登録請求の範囲】
【請求項１】
複数の発光ユニットを駆動する照明駆動装置であって、
外部の電圧源と電気的に接続される２つの電気接続端子を有する入力ユニットと、
前記入力ユニットに接続され、前記外部の電圧源を受け取り、整流信号を発生させる整流ユニットと、
前記整流ユニットと電気的に接続され、前記整流信号に基づき、対応した定電流源を発生させる定電流発生ユニットと、
前記定電流源を受け取って出力し、前記複数の発光ユニットを駆動させる出力ユニットと、を備えることを特徴とする照明駆動装置。
【請求項２】
整流ユニットが半波整流及び全波整流である請求項１に記載の照明駆動装置。
【請求項３】
全波整流がブリッジ整流器である請求項２に記載の照明駆動装置。
【請求項４】
整流ユニットが定電流発生ユニットと直列に接続される請求項１に記載の照明駆動装置。
【請求項５】
定電流発生ユニットが、直列又は並列に電気的に接続された複数の定電流発生装置を含む請求項１に記載の照明駆動装置。
【請求項６】
電流発生装置が、ＣＲＤ、リニアコンスタント電流調整器又はこれらの組み合わせからなる請求項１から５のいずれかに記載の照明駆動装置。
【請求項７】
発光ユニットが発光ダイオードである請求項１から５のいずれかに記載の照明駆動装置。
【考案の詳細な説明】
【技術分野】
【０００１】
本考案は、照明駆動装置に関し、特に、発光ユニットを駆動する照明駆動装置に関する。
【背景技術】
【０００２】
従来、照明には電球を使用していたが、環境保護及びエネルギー節減の意識の高まりに伴い、消費電力が少ない照明方式が次々と開発されており、なかでも、半導体を利用した発光ダイオードが主流となっている。この発光ダイオードは、交流電流を使用する従来の電球と異なり、直流電流を使用して、駆動回路により発光ダイオードを駆動させる。
【０００３】
従来、発光ダイオードの駆動回路は、出力端子に耐圧コンデンサが設けられている。耐圧コンデンサは、耐圧性及び耐熱性が高い。発光ダイオードを駆動させると高温が生じる上、駆動の際に耐圧コンデンサが充放電されるため、使用される環境によっては耐圧コンデンサの寿命が短くなる虞がある。また、耐圧コンデンサは、駆動回路の主な素子の一つであるため、駆動回路の寿命は、耐圧コンデンサの寿命により決定される。
【０００４】
そのため、発光ダイオードを安定的に駆動させることができる上に、使用寿命を延ばすことができる照明駆動装置の提供が求められていた。
【考案の概要】
【考案が解決しようとする課題】
【０００５】
本考案は、従来における前記諸問題を解決し、以下の目的を達成することを課題とする。即ち、本考案は、固定出力の電流源により発光ユニットを駆動させることにより、駆動回路の使用寿命を延ばすことができる照明駆動装置を提供することを目的とする。
【課題を解決するための手段】
【０００６】
前記課題を解決するために、本考案の第１の形態によれば、複数の発光ユニットを駆動する照明駆動装置であって、外部の電圧源と電気的に接続される２つの電気接続端子を有する入力ユニットと、前記入力ユニットに接続され、前記外部の電圧源を受け取り、整流信号を発生させる整流ユニットと、前記整流ユニットと電気的に接続され、前記整流信号に基づき、対応した定電流源を発生させる定電流発生ユニットと、前記定電流源を受け取って出力し、前記複数の発光ユニットを駆動させる出力ユニットと、を備えることを特徴とする照明駆動装置が提供される。
【０００７】
また、前記整流ユニットは半波整流及び全波整流であることが好ましい。
【０００８】
また、前記全波整流はブリッジ整流器であることが好ましい。
【０００９】
また、前記整流ユニットは、前記定電流発生ユニットと直列に接続されることが好ましい。
【００１０】
また、前記定電流発生ユニットは、直列又は並列に電気的に接続された複数の定電流発生装置を含むことが好ましい。
【００１１】
また、前記電流発生装置は、ＣＲＤ（Ｃｕｒｒｅｎｔ  Ｒｅｇｕｌａｔｏｒ  Ｄｉｏｄｅ）、リニアコンスタント電流調整器又はこれらの組み合わせからなることが好ましい。
【００１２】
また、前記発光ユニットは発光ダイオードであることが好ましい。
【考案の効果】
【００１３】
本考案によると、従来における問題を解決することができ、固定出力の電流源により発光ユニットを駆動させることにより、駆動回路の使用寿命を延ばすことができる照明駆動装置を提供することができる。
【図面の簡単な説明】
【００１４】
【図１】本考案の一実施形態による照明駆動装置を示す回路図である。
【図２】本考案の一実施形態による照明駆動装置を示す回路図である。
【図３】本考案の他の実施形態による照明駆動装置を示す回路図である。
【考案を実施するための形態】
【００１５】
以下、本考案の実施形態について図に基づいて説明する。なお、これによって本考案が限定されるものではない。
【００１６】
図１を参照する。図１に示すように、本考案の一実施形態による照明駆動装置１０は、入力ユニット１２、整流ユニット１４、定電流発生ユニット１６及び出力ユニット１８を含み、複数の発光ユニット２を駆動させる。入力ユニット１２は、外部の電圧源１と電気的に接続するために用いる２つの電気接続端子を有する。外部の電圧源１は、５０Ｈｚ又は６０Ｈｚの１１０Ｖ〜２２０Ｖの交流電流でもよい。整流ユニット１４は、入力ユニット１２に接続され、外部の電圧源１を受け取り、整流信号ＲＳを発生させる。整流ユニット１４は、半波整流及び全波整流である。例えば、全波整流は、交流電流を直流電流へ変換する（即ち、正負の半周期正弦波の交流電流を正の半周期のみの直流電流へ変換する）ブリッジ整流器である。定電流発生ユニット１６は、整流ユニット１４と電気的に接続され、整流信号ＲＳに基づき、対応した定電流源ＤＣを発生させる。整流ユニット１４は、定電流発生ユニット１６と直列に接続されている。ここで、定電流発生ユニット１６は、１つの定電流発生装置でもよいし、直列又は並列に接続された複数の電流発生装置からなってもよい。これら複数の電流発生装置が並列に接続されている場合、１つの定電流発生装置より多くの電流を出力することができる。しかし、これだけに限定されるわけではなく、さらに多くの発光ユニット２を駆動させることもできる。例えば、電流発生装置は、石塚電子社製のＣＲＤ（Ｃｕｒｒｅｎｔ  Ｒｅｇｕｌａｔｏｒ  Ｄｉｏｄｅ）、リニアコンスタント電流調整器（ｌｉｎｅａｒ  ｃｏｎｓｔａｎｔ  ｃｕｒｒｅｎｔ  ｒｅｇｕｌａｔｏｒ）又はこれらの組み合わせからなってもよい。出力ユニット１８は、定電流源ＤＣを受け取って出力し、発光ユニット２を駆動させる。発光ユニット２は、互いに直列又は並列に電気的に接続させる。例えば、発光ユニット２は発光ダイオードである。
【００１７】
図２を参照する。図２に示すように、本考案の一実施形態による照明駆動装置１０’は、入力ユニット１２、ブリッジ整流器１４’、定電流発生ユニット１６及び出力ユニット１８を含み、発光ダイオード２’を駆動させる。入力ユニット１２は、外部の正負半周期の交流ＡＣを受け取り、ブリッジ整流器１４’により、全てが正半周期である整流信号ＲＳへ変換した後、定電流発生ユニット１６を介し、整流信号ＲＳに基づいて定電流源ＤＣを出力ユニット１８へ出力する。出力ユニット１８は、定電流源ＤＣを受け取り、発光ダイオード２’を駆動させる。ここで、定電流発生ユニット１６は、図３に示すように、駆動させる発光ダイオードの数を増やすために、並列又は直列に接続された多数の定電流発生装置を含んでもよい。
【００１８】
上述したことから分かるように、本考案の照明駆動装置は、駆動回路出力端に耐圧コンデンサを配置しなくとも、安定した電流源により複数の発光ユニットを駆動させることができる。そのため、本考案の照明駆動装置は、耐圧コンデンサの使用寿命の影響を受けたり、発光ユニットが発生する熱エネルギーにより悪影響を受けたりし、駆動回路の使用寿命が短くなるなどの問題点はない。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１      電圧源
２      発光ユニット
２’      発光ダイオード
１０      照明駆動装置
１０’      照明駆動装置
１２      入力ユニット
１４      整流ユニット
１４’      ブリッジ整流器
１６      定電流発生ユニット
１８      出力ユニット
ＡＣ      交流
ＤＣ      定電流源
ＲＳ      整流信号
【図１】
0003164492.tif 000003
【図２】
0003164492.tif 000004
【図３】
0003164492.tif 000005